(57)【要約】【課題】  電力線アダプタ装置において、家電製品等が接続されても電力線線路の電力低下を防ぐと共に、一般のコンセントにも適用可能にすること。【解決手段】  電力線通信装置が接続されて信号電流を伝達する電力線コンセントジャックと電子機器との間に接続される電力線アダプタ装置１であって、電力線コンセントジャックに接続可能な一対のアダプタ側コンセントプラグ６と、電子機器コンセントプラグが接続可能な一対のアダプタ側コンセントジャック８と、互いに対応するアダプタ側コンセントプラグ６とアダプタ側コンセントジャック８とを接続する一対のアダプタ配線９と、一対のアダプタ配線９間に接続され信号電流に対してインピーダンスを高める高インピーダンス化部１０と、からなるコンセント部１１を備えている。【選択図】      図２
2007201747.tif 000002
【特許請求の範囲】
【請求項１】
電力線通信装置が接続されて信号電流を伝達する電力線のコンセントジャックと電子機器との間に接続される電力線アダプタ装置であって、
前記コンセントジャックに接続可能な一対のアダプタ側コンセントプラグと、
前記電子機器のコンセントプラグが接続可能な一対のアダプタ側コンセントジャックと、
互いに対応する前記アダプタ側コンセントプラグと前記アダプタ側コンセントジャックとを接続する一対のアダプタ配線と、
前記一対のアダプタ配線間に接続され前記信号電流に対してインピーダンスを高める高インピーダンス化部と、からなるコンセント部を備えていることを特徴とする電力線アダプタ装置。
【請求項２】
請求項１に記載の電力線アダプタ装置において、
前記高インピーダンス化部が、前記一対のアダプタ配線間に互いに並列に接続された平衡線チョークコイルとコンデンサとを備えていることを特徴とする電力線アダプタ装置。
【請求項３】
請求項２に記載の電力線アダプタ装置において、
前記高インピーダンス化部が、前記平衡線チョークコイルよりも前記アダプタ側コンセントジャック側の前記一対のアダプタ配線間に接続されたコモンモードチョークコイルを備えていることを特徴とする電力線アダプタ装置。
【請求項４】
請求項１から３のいずれか一項に記載の電力線アダプタ装置において、
複数の前記コンセント部を一体に内蔵した筐体を備えていることを特徴とする電力線アダプタ装置。
【発明の詳細な説明】
【技術分野】
【０００１】
本発明は、家電製品等の電子機器を電力線のコンセントジャックに接続する際に、電力線に接続された電力線通信装置の良好なデータ通信を維持することに好適な電力線アダプタ装置に関する。
【背景技術】
【０００２】
近年、家屋等の建物内に配線されている電力線を介して電力線通信装置間のデータ通信を行うことが検討されている。例えば、家屋が有する電力線を用いてオーディオ機器等の電力線通信装置間でオーディオ信号や映像信号等のデータ通信を良好に行うことが研究されている。
【０００３】
家屋等で電力線通信を行う場合、電力線のコンセントジャックには、電力線通信装置以外に家電製品等の電力線通信を行わない種々の電子機器が接続されることが想定される。この際、家電製品等の電子機器が電力線のコンセントジャックに接続されると、これらの電子機器の接続に起因して電力線通信装置の電力線通信に種々の影響を及ぼす場合がある。例えば、電子機器が電力線のコンセントジャックに接続されると、ノイズ及び開閉サージが発生して電力線に直接重畳する場合があり、電力線通信の信号に歪みを発生させることがある。このため、従来、特許文献１では、ノイズ及び開閉サージが電力線に侵入することを阻止する高インピーダンス回路を電力線のコンセントジャックに設けた搬送通信回路の接続用コンセントが提案されている。
【０００４】
【特許文献１】特開昭６１−２７８２２１号公報（特許請求の範囲、第１図）
【発明の開示】
【発明が解決しようとする課題】
【０００５】
上記従来の技術には、以下の課題が残されている。
すなわち、例えば、電力線通信装置を家電製品等の電子機器と並列に電力線のコンセントジャックに接続した場合、家電製品等の電子機器のインピーダンスが低いために、線路のインピーダンスが低くなり、電力線の線路に出力される電力が低くなる不都合があった。このように電力の低下が生じると、受信品質が同時に劣化してしまうと共に、電力を維持するために消費電力の増大を招くという不都合があった。
上記従来の搬送通信回路の接続用コンセントでは、コンセント自体に高インピーダンス回路を設けているが、予めコンセントに内蔵させる必要があると共に、一般のコンセントに適用するにはコンセントの改造が必要であり、設置自由度が低いという不都合があった。また、上記従来の搬送通信回路の接続用コンセントでは、ノイズ及び開閉サージの侵入を防ぐためにコモンモードチョークコイルを用いた高インピーダンス回路を設けており、コモンモードノイズに対しては効果があるが、信号電流に対する線路のインピーダンスの低下に対して十分な効果を得ることができなかった。
【０００６】
本発明は、前述の課題に鑑みてなされたもので、家電製品等が接続されても電力線線路の電力低下を防ぐと共に、一般のコンセントにも適用可能な電力線アダプタ装置を提供することを目的とする。
【課題を解決するための手段】
【０００７】
本発明は、前記課題を解決するために以下の構成を採用した。すなわち、本発明の電力線アダプタ装置は、電力線通信装置が接続されて信号電流を伝達する電力線のコンセントジャックと電子機器との間に接続される電力線アダプタ装置であって、前記コンセントジャックに接続可能な一対のアダプタ側コンセントプラグと、前記電子機器のコンセントプラグが接続可能な一対のアダプタ側コンセントジャックと、互いに対応する前記アダプタ側コンセントプラグと前記アダプタ側コンセントジャックとを接続する一対のアダプタ配線と、前記一対のアダプタ配線間に接続され前記信号電流に対してインピーダンスを高める高インピーダンス化部と、からなるコンセント部を備えていることを特徴とする。
【０００８】
この電力線アダプタ装置では、コンセント部が信号電流（ディファレンシャルモード）に対して高インピーダンスな高インピーダンス化部を有しているので、電力線の一般のコンセントに家電製品等の電子機器を接続する場合、本発明の電力線アダプタ装置を介して上記電子機器を接続することにより、電力線の線路のインピーダンスを高めて線路の電力低下を防ぐことができる。さらに、電力線のコンセントに内蔵させず、アダプタ装置として独立させているため、取り付けコンセントを選ばずに、どの位置のコンセントにも上記電子機器を接続することができ、高い設置自由度を得ることができる。
【０００９】
また、本発明の電力線アダプタ装置は、前記高インピーダンス化部が、前記一対のアダプタ配線間に互いに並列に接続された平衡線チョークコイルとコンデンサとを備えていることを特徴とする。すなわち、この電力線アダプタ装置では、高インピーダンス化部が平衡線チョークコイル及びコンデンサを備えているので、一対のアダプタ配線が互いに逆位相のときに最大インピーダンスとなり、信号電流に対して効果的に線路の高インピーダンス化を図ることができる。
【００１０】
さらに、本発明の電力線アダプタ装置は、前記高インピーダンス化部が、前記平衡線チョークコイルよりも前記アダプタ側コンセントジャック側の前記一対のアダプタ配線間に接続されたコモンモードチョークコイルを備えていることを特徴とする。すなわち、この電力線アダプタ装置では、平衡線チョークコイルよりもアダプタ側コンセントジャック側にコモンモードチョークコイルがさらに接続されているので、コモンモードノイズやサージを抑制することができる。
【００１１】
また、本発明の電力線アダプタ装置は、複数の前記コンセント部を一体に内蔵した筐体を備えていることを特徴とする。すなわち、この電力線アダプタ装置では、筐体内に複数のコンセント部が一体に設けられているので、複数のコンセントジャックを一体に配した電力線のコンセントに対応して複数のコンセント部を一度に装着することができ、複数の家電製品等を接続する際に好適である。
【発明の効果】
【００１２】
本発明によれば、以下の効果を奏する。
すなわち、本発明に係る電力線アダプタ装置によれば、コンセント部が信号電流に対して高インピーダンスな高インピーダンス化部を有しているので、本発明の電力線アダプタ装置を介して上記電子機器をコンセントに接続することにより、電力線の線路のインピーダンスを高めて線路の電力低下を防ぐと共に、どの位置のコンセントにも上記電子機器を接続することができ、高い設置自由度を得ることができる。したがって、家電製品等をコンセントに接続しても、線路のインピーダンスが低下して生じる電力損失を抑制し、消費電力を抑えることができると共に、安定した通信品質や長い通信距離を得ることができる。
【発明を実施するための最良の形態】
【００１３】
以下、本発明に係る電力線アダプタ装置の第１実施形態を、図１から図３を参照しながら説明する。
【００１４】
本実施形態の電力線アダプタ装置１は、図１に示すように、電力線通信装置２Ａ、２Ｂが接続されて信号電流が伝達される電力線Ｌのコンセント（以下、電力線コンセントと称す）３と家電製品等の電子機器４との間に接続されるアダプタである。
上記電力線Ｌは、例えば一般家屋内に配設され複数の家電製品等の電子機器４や電力線通信装置２Ａ、２Ｂに電力供給を行うと共に、電力線通信装置２Ａ、２Ｂ間で送信される信号電流のデータ通信媒体となる。
【００１５】
また、上記電力線通信装置２Ａは、例えばＣＤプレーヤー等のオーディオデータ送信装置であってオーディオデータを電力線Ｌを介して送信するものであり、電力線通信装置２Ｂは、オーディオデータ送信装置である電力線通信装置２Ａから送信されるオーディオデータを電力線Ｌを介して受信し再生させる再生スピーカ装置である。また、電力線通信装置２Ｂは、電力線コンセント３に接続可能なコンセントプラグ２ａを有している。
【００１６】
上記電子機器４は、例えば液晶テレビジョン等の家電製品であり、上記電力線Ｌを介したデータ通信とは無関係な機器であり、単に電力線コンセント３から電力の供給を受けるものである。また、電子機器４は、電力線コンセント３に接続可能なコンセントプラグ（以下、電子機器コンセントプラグと称す）７を有している。なお、本実施形態において、電力線コンセント３は、図３に示すように、二対の電力線Ｌのコンセントジャック（以下、電力線コンセントジャックと称す）５を備えている。
【００１７】
本実施形態の電力線アダプタ装置１は、図２及び図３に示すように、一対の電力線コンセントジャック５に接続可能な一対のアダプタ側コンセントプラグ６と、電子機器コンセントプラグ７が接続可能な一対のアダプタ側コンセントジャック８と、互いに対応するアダプタ側コンセントプラグ６とアダプタ側コンセントジャック８とを接続する一対のアダプタ配線９と、一対のアダプタ配線９間に接続され信号電流に対してインピーダンスを高める高インピーダンス化部１０と、からなるコンセント部１１を備えている。
【００１８】
また、電力線アダプタ装置１は、上記コンセント部１１を内蔵する筐体１２を備えている。
上記高インピーダンス化部１０は、一対のアダプタ配線９間に互いに並列に接続された平衡線チョークコイル１３とコンデンサ１４とを備えた高インピーダンス回路である。上記平衡線チョークコイル１３は、一対のアダプタ配線９にそれぞれ接続され共通の環状コア１５に互いに逆方向に巻かれた一対の平衡線巻線部１６が施されている。すなわち、この平衡線チョークコイル１３は、信号電流（ディファレンシャルモード）に対して高いインピーダンスを得ることができるように巻線方向を設定している。
【００１９】
次に、本実施形態の電力線アダプタ装置１の使用方法について、図３を参照して説明する。
【００２０】
例えば、図３に示すように、電力線コンセントジャック５が二対設けられた電力線コンセント３があり、一方の電力線コンセントジャック５に家電製品等の電子機器４を接続し、他方の電力線コンセントジャック５に電力線通信装置２Ｂを接続する場合について説明する。この場合、電力線アダプタ装置１を一方の電力線コンセントジャック５にのみ接続し、この電力線アダプタ装置１に電子機器４を接続する。
【００２１】
すなわち、一方の電力線コンセントジャック５にアダプタ側コンセントプラグ６を差し込んで電力線アダプタ装置１を一方の電力線コンセントジャック５に取り付けておき、さらにアダプタ側コンセントジャック８に電子機器コンセントプラグ７を差し込んで電子機器４を接続する。なお、他方の電力線コンセントジャック５には、電力線通信装置２Ｂのコンセントプラグ２ａを直接差し込んで接続する。
【００２２】
このように本実施形態では、コンセント部１１が信号電流に対して高インピーダンスな高インピーダンス化部１０を有しているので、電力線コンセントジャック５に家電製品等の電子機器４を接続する場合、電力線アダプタ装置１を介して電子機器４を接続することにより、電力線Ｌの線路のインピーダンスを高めて線路の電力低下を防ぐことができる。さらに、電力線コンセント３に内蔵させず、アダプタ装置として独立させているため、どの位置の電力線コンセントジャック５にも電子機器４を接続することができ、高い設置自由度を得ることができる。
【００２３】
また、高インピーダンス化部１０が平衡線チョークコイル１３及びコンデンサ１４を備えているので、一対のアダプタ配線９が互いに逆位相のときに最大インピーダンスとなり、信号電流に対して効果的に線路の高インピーダンス化を図ることができる。
したがって、家電製品等を電力線コンセントジャック５に接続しても、電力線アダプタ装置１を介することで線路のインピーダンスが低下して生じる電力損失を抑制し、消費電力を抑えることができると共に、安定した通信品質や長い通信距離を得ることができる。
【００２４】
次に、本発明に係る電力線アダプタ装置の第２実施形態を、図４及び図５を参照しながら説明する。なお、以下の実施形態おいて、上記実施形態で説明した同一の構成要素には同一の符号を付し、その説明は省略する。
【００２５】
第２実施形態と第１実施形態との異なる点は、第１実施形態では、１つのコンセント部１１を有する電力線アダプタ装置１であるのに対し、第２実施形態の電力線アダプタ装置２１は、図４及び図５に示すように、筐体２２内に２つのコンセント部１１を一体に内蔵している点である。すなわち、第２実施形態では、二対の電力線コンセントジャック５を備えた電力線コンセント３があり、両方（二対）の電力線コンセントジャック５に家電製品等の電子機器４を接続したい場合、１つの電力線アダプタ装置２１を装着することで２つの電子機器４に対応可能である。
【００２６】
したがって、第２実施形態の電力線アダプタ装置２１によれば、電力線コンセントジャック５毎に個別に第１実施形態の電力線アダプタ装置１を取り付けなくても、複数対の電力線コンセントジャック５を一体に配した電力線コンセント３に対応して複数のコンセント部１１を一度に装着することができ、複数の家電製品等を接続する際に好適である。
【００２７】
また、第２実施形態では、図５に示すように、高インピーダンス化部３０が、平衡線チョークコイル１３よりもアダプタ側コンセントジャック８側の一対のアダプタ配線９間に接続されたコモンモードチョークコイル２３を備えている点で第１実施形態と異なっている。すなわち、第２実施形態の電力線アダプタ装置２１では、コモンモードノイズや開閉サージ等を妨げる働きをするコモンモードチョークコイル２３も内蔵している。このコモンモードチョークコイル２３は、一対のアダプタ配線９にそれぞれ接続され共通の環状コア１５に互いに同方向に巻かれた一対のコモンモード用巻線部２６が施されている。
【００２８】
すなわち、このコモンモードチョークコイル２３は、コモンモードに対して高いインピーダンスを得ることができるように巻線方向を設定している。
したがって、第２実施形態の電力線アダプタ装置２１では、線路の電力低下を抑制するだけでなく、周辺機器に悪影響を与えるコモンモードノイズや開閉サージを抑制することができる。
【００２９】
なお、本発明の技術範囲は上記各実施形態に限定されるものではなく、本発明の趣旨を逸脱しない範囲において種々の変更を加えることが可能である。
例えば、上記第２実施形態の電力線アダプタ装置２１では、二対の電力線コンセントジャック５を有する電力線コンセント３に対応した２つのコンセント部１１を有しているが、３対以上の電力線コンセントジャック５を有する電力線コンセントに対応した３以上のコンセント部１１を有する電力線アダプタ装置としても構わない。
【図面の簡単な説明】
【００３０】
【図１】本発明の第１実施形態の電力線アダプタ装置を用いた電子機器及び電力線通信装置の接続例を示す全体接続図である。
【図２】第１実施形態の電力線アダプタ装置において、各部の接続を示す構成図である。
【図３】第１実施形態の電力線アダプタ装置及び電力線コンセントを示す斜視図である。
【図４】本発明の第２実施形態の電力線アダプタ装置及び電力線コンセントを示す斜視図である。
【図５】第２実施形態の電力線アダプタ装置において、各部の接続を示す構成図である。
【符号の説明】
【００３１】
１、２１…電力線アダプタ装置、４…電子機器、２Ａ、２Ｂ…電力線通信装置、５…電力線コンセントジャック、６…アダプタ側コンセントプラグ、７…電子機器コンセントプラグ、８…アダプタ側コンセントジャック、９…アダプタ配線、１０、３０…高インピーダンス化部、１１…コンセント部、１２、２２…筐体、１３…平衡線チョークコイル、１４…コンデンサ、２３…コモンモードチョークコイル、Ｌ…電力線
【図１】
2007201747.tif 000003
【図２】
2007201747.tif 000004
【図３】
2007201747.tif 000005
【図４】
2007201747.tif 000006
【図５】
2007201747.tif 000007